(57)【要約】【課題】３Ｄ撮影可能で、かつレンズ交換を可能に構成した場合、取り付けられるレンズの本数によって重心が変わってしまう。重心が変わってしまうと、本体に取り付けるアクセサリー類が偏ってしまい、安定した撮影が行えないという問題があった。【解決手段】レンズ交換可能な第１のレンズ脱着部と第２のレンズ脱着部を備えた撮像装置に於いて、前記２つのレンズ脱着部は水平に並設されているとき、前記撮像装置は複数のアクセサリー取り付け部を持ち、前記複数のアクセサリー取り付け部のうち少なくとも１つは、前記２つのレンズ脱着部の光軸から略等距離に位置するとともに、前記複数のアクセサリー取り付け部のうち少なくとも一つは、前記レンズ脱着部の略光軸延長線上にあり、前記２つのレンズ脱着部の光軸から略等距離に位置するアクセサリー取り付け部は、前記レンズ脱着部の略光軸延長線上にあるアクセサリー取り付け部よりも、前記光軸方向で前記レンズ脱着部に近い位置に備えられたことを特徴とする撮像装置。【選択図】図７
2015203826.tif 000002
【特許請求の範囲】
【請求項１】
レンズ交換可能な第１のレンズ脱着部と第２のレンズ脱着部を備えた撮像装置に於いて、
前記２つのレンズ脱着部は水平に並設されているとき、
前記撮像装置は複数のアクセサリー取り付け部を持ち、前記複数のアクセサリー取り付け部のうち少なくとも１つは、前記２つのレンズ脱着部の光軸から等距離に位置するとともに、
前記複数のアクセサリー取り付け部のうち少なくとも一つは、前記レンズ脱着部の光軸延長線上にあり、
前記２つのレンズ脱着部の光軸から等距離に位置するアクセサリー取り付け部は、前記レンズ脱着部の光軸延長線上にあるアクセサリー取り付け部よりも、前記光軸方向で前記レンズ脱着部に近い位置に備えられたことを特徴とする前記撮像装置。
【請求項２】
前記アクセサリー取り付け部は三脚取り付け部または把持手段取り付け部であることを特徴とする請求項１に記載の撮像装置。
【発明の詳細な説明】
【技術分野】
【０００１】
本発明は、３次元映像の撮影が可能な撮像装置に関するものである。
【背景技術】
【０００２】
近年、従来の２次元映像（以下２Ｄ）撮影だけではなく３次元映像（以下３Ｄ）撮影が可能な撮像装置として、撮像手段を２個並列に並べたビデオカメラが提案されている（特許文献１参照）。
【先行技術文献】
【特許文献】
【０００３】
【特許文献１】特開２０１０−５６８６５号公報
【発明の概要】
【発明が解決しようとする課題】
【０００４】
しかしながら、上述の撮像装置では、撮影レンズは決められた１種類が固定されているため、任意のレンズを付け替えて撮影することができないという問題点があった。
【０００５】
３Ｄ撮影可能で、かつレンズ交換を可能に構成した場合、取り付けられるレンズの本数によって重心が変わってしまう。重心が変わってしまうと、本体に取り付けるアクセサリー類が偏ってしまい、安定した撮影が行えないという問題があった。
【０００６】
本発明はこのような事情に鑑みなされたものであり、その目的は、３Ｄ撮影可能な撮像装置に於いて、安定した撮影をおこなうことを可能にすることとする。
【課題を解決するための手段】
【０００７】
本発明に係る撮像装置の構成は、レンズ交換可能な第１のレンズ脱着部と第２のレンズ脱着部を備え、
前記２つのレンズ脱着部は水平に並設されているとき、
前記撮像装置は複数のアクセサリー取り付け部を持ち、前記複数のアクセサリー取り付け部のうち少なくとも１つは、前記２つのレンズ脱着部の光軸から略等距離に位置するとともに、
前記複数のアクセサリー取り付け部のうち少なくとも一つは、前記レンズ脱着部の略光軸延長線上にあり、
前記２つのレンズ脱着部の光軸から略等距離に位置するアクセサリー取り付け部は、前記レンズ脱着部の略光軸延長線上にあるアクセサリー取り付け部よりも、前記光軸方向で前記レンズ脱着部に近い位置に備えられたことを特徴としている。
また、前記アクセサリー取り付け部は三脚取り付け部または把持手段取り付け部であることを特徴としている。
【発明の効果】
【０００８】
本発明の撮像装置によれば、レンズ交換かつ３Ｄ撮影可能な撮像装置に於いて、安定した撮影をおこなうことを可能にすることができる。
【図面の簡単な説明】
【０００９】
【図１（ａ）】本実施例におけるデジタルビデオカメラ１０１の外観斜視図
【図１（ｂ）】本実施例におけるデジタルビデオカメラ１０１の外観斜視図
【図１（ｃ）】本実施例におけるデジタルビデオカメラ１０１の外観斜視図
【図１（ｄ）】本実施例におけるデジタルビデオカメラ１０１の外観斜視図
【図２】本実施例に用いるレンズのマウント側斜視
【図３】本体１０３の第１のマウント１０４露出状態での斜視図
【図４】マウント露出状態の本体１０３正面図
【図５】（ａ）は第２のマウント１０５を収納状態に回転した状態の斜視図、（ｂ）は引き出し回転ヒンジ５０１周辺の詳細図、（ｃ）は引き出し回転ヒンジ５０１周辺を別角度から観た図、（ｄ）は引き出し回転ヒンジ５０１周辺をさらに別角度から観た図
【図６】（ａ）は輻輳角を３度に調節した状態のデジタルビデオカメラ１０１の上面視図、（ｂ）は第１のレンズの光軸と第２のレンズの光軸のなす角が平行よりも広がった状態のデジタルビデオカメラ１０１の上面視図
【図７】デジタルビデオカメラ１０１のシステム図
【図８】デジタルビデオカメラ１０１の上面視内部構成概観図
【図９】デジタルビデオカメラ１０１の撮影モード切り替えフロー
【図１０】デジタルビデオカメラ１０１の輻輳角警告表示フロー
【図１１】第１のマウント１０４のみにレンズ１０２を取り付けた状態の外観斜視図
【発明を実施するための形態】
【００１０】
以下、本発明に係る撮像装置の構成について説明する。図１（ａ）（ｂ）（ｃ）（ｄ）に本実施例における撮像装置としてのデジタルビデオカメラ１０１の外観斜視図を示す。図１（ａ）座標軸に示すｘ軸が本体の左右を示し、本体の紙面手前側を右側面、紙面奥側を左側面と定義する。図１（ａ）座標軸に示すｚ軸が本体の前後を示し、本体の紙面手前側を前面、紙面奥側を後面と定義する。図１（ａ）座標軸に示すｙ軸が本体の上下を示し、本体の紙面上側を上面、紙面下側を下面と定義する。
【００１１】
デジタルビデオカメラ１０１の外観について説明する。デジタルビデオカメラ１０１は一般的な１眼レフカメラと同様にレンズ１０２と本体１０３が着脱可能に構成されている。
【００１２】
レンズ１０２と本体１０３を接合する部分を、以下マウントと称して説明する。デジタルビデオカメラ１０１は第１のマウント１０４と第２のマウント１０５の２つを備え、それぞれのマウントに１本のレンズが着脱可能である。以下の説明で用いるレンズ１０２は第１のマウント１０４に取り付けられるものを指し、第２のマウント１０５に取り付けられるレンズはレンズ１１２として区別する。第１のレンズ１０２にはレンズ操作部材１１３、第２のレンズ１１２にはレンズ操作部材１１４がそれぞれ供えられている。
【００１３】
第１のマウント１０４と第２のマウント１０５は、一般的な一眼レフカメラのマウントと同様に、レンズを挿入した後に回転動作で係合爪が係合し、ロックピンがレンズの凹みに係合することでロックを行うものである。また、本体１０３上面にはハンドル部材１０６及び表示部１０７が取り付け可能である。取り付け構造については後述する。
【００１４】
表示部１０７には、撮影時のスルー画像や再生画像を表示する表示画面が備わるとともに、操作部１０８が備えられている。本体１０３とは図示しない接続ケーブルを用いて接続を行う。
【００１５】
操作部１０８はデジタルビデオカメラ１０１の撮影や再生操作、設定操作を行うことが可能である。本体後部には外部電源手段であるバッテリ１０９が接続されている。また、図示しない電源端子から電力を供給することも可能である。本体左側面にはグリップ部１１０が形成され、グリップ部１１０には操作部材１１１が配置されている。
【００１６】
次に、マウントの構造について図を用いて詳説する。図２に本実施例に用いるレンズのマウント側斜視図を示す。図３に本体１０３の第１のマウント１０４露出状態での斜視図を示す。
【００１７】
レンズは３か所の係合爪２０１と、レンズ側マウント接点２０２、挿入指標２０３、ロックピン挿入凹部２０４を図のように備えている。
【００１８】
本体のマウントにはレンズ挿通穴３０１、３か所のレンズ係合爪３０２、本体側マウント接点３０３、指標３０４、ロックピン３０５、ロックピン操作部材３０６が図のように備えられている。
【００１９】
レンズ１０２の取り付けは一般的な一眼レフカメラと同様に、レンズに設けられた挿入指標２０３と本体の指標３０４を合わせた位置で、本体のレンズ挿通穴３０１にレンズの係合爪２０１を挿通し、レンズの突き当て面２０５と本体のマウント面３０７が当接した状態でレンズ１０２を本体１０３に対して時計回りに回転させる。挿入指標２０３と指標３０４を合わせた時点では本体のロックピン３０５はレンズの突き当て面２０５に押されて後退し、レンズ１０２を回転してロック位置まで回されたときに、ロックピン３０５がレンズのロックピン挿入凹部２０４に挿入されることで回転を停止する。
【００２０】
レンズ１０２が本体１０３に対してロック位置になった時に、レンズ側マウント接点２０２と本体側マウント接点３０３が整合した位置となり、通信可能な状態に構成される。
【００２１】
レンズ１０２を取り外す際は、ロックピン３０５を後退させるために、ロックピン操作部材３０６を押圧することでロックピン３０５が後退し、レンズ１０２が本体１０３に対して回転可能になることで、レンズ１０２を反時計回りに回転させ、レンズ１０２の係合爪３０２が本体１０３のレンズ挿通穴３０１と整合してレンズ１０２を取り外すことが可能になる。
【００２２】
図４にマウント露出状態の本体１０３正面図を示す。第１のマウントと第２のマウントは同一の規格のマウントである場合、同じ位相で並列にマウントを並べた場合、どちらか一方のロックピン操作部材がマウント同士の間になってしまうため、レンズ取り外しの際にロックピン操作部材を操作しにくいという問題があった。また、第１のマウントと第２のマウントに同一のレンズを同じ位相に並べられたマウントに取り付けると、どちらか一方のレンズに設けられた操作部材が他方のレンズとの間に挟まれてしまうため、操作しにくいという問題があった。
【００２３】
そこで、本実施例におけるデジタルビデオカメラ１０１の第１のマウント１０４と第２のマウント１０５は、他方に対して一方を１８０度回転した状態の位置に構成することで、前述の問題点を解消している。つまり、図４に示すように１８０度位相をずらすことによって、第１のマウント１０４のロックピン操作部材３０６と第２のマウント１０５のロックピン操作部材４０１は製品の左右に別離された構成を取ることが可能である。また、図１（ａ）（ｃ）に示すように、それぞれに取り付けられたレンズ１０２・１１２の操作部材１１３・１１４がどちらもデジタルビデオカメラ１０１の外側側面に位置しているため、他方のレンズに操作部材が隠れることなく、操作を行うことが可能である。
【００２４】
図５（ａ）に第２のマウント１０５を収納状態に回転した状態の斜視図を示す。デジタルビデオカメラ１０１の第２のマウント部１０５は第１のマウント１０４が備えられた本体１０３に対して、引き出し回転ヒンジ５０１を介して接続されている。引き出し回転ヒンジ５０１は、第１のマウント１０４と第２のマウント１０５の光軸間距離を変更可能であるとともに、第１のマウント１０４と第２のマウント１０５の光軸がなす輻輳角の調節を行うことが可能である。
【００２５】
引き出し回転ヒンジ５０１は、回転軸５０２を中心に第２のマウントを回転可能であり、その回転によって図５のように第１のマウントの光軸と第２のマウントの光軸を略直角まで回動することが可能に構成されている。デジタルビデオカメラ１０１の使用者が第２のマウントに取り付けられたレンズを外す時には、第２のマウントを回転させて、第１のマウントと第２のマウントの光軸がなす角度が平行よりも広がった状態で外すことで、外したレンズが第１のマウントに取り付けられたレンズとぶつかることが無く、取り外しを容易に行うことが可能である。
【００２６】
また、第２のマウントを回動させて本体の右側面に当接させた、マウント収納位置を形成することで、デジタルビデオカメラ１０１の第１のマウントのみにレンズを取り付けて使用する際や、どちらのマウントにもレンズを取り付けない運搬時のデジタルビデオカメラ１０１の横幅を小さく形成することが可能である。
【００２７】
図５（ｂ）に引き出し回転ヒンジ５０１周辺の上面図を示す。引き出し回転ヒンジは、本体１０３に固定される固定板金５０３に設けられた、長穴５０４に沿って、移動板金５０６と一体的に移動するカシメ部５０５が移動することで引き出し可能に構成されている。引き出し方向の動作は、固定板金５０３に取り付けられた引き出しモータ５０７が回転軸上に設けられたねじを回転させ、移動板金５０６上に設けられたラック５０９を移動させることで、引き出し動作が可能に構成されている。をまた、移動板金５０６には回転軸５０２を回転させる回転モータ５０８が取り付けられ、第２のマウント１０５を回転可能に構成されている。
【００２８】
また、引き出し回転ヒンジ５０１の引き出し量及び回転量は、引き出し回転ヒンジ５０１に取り付けられたフレキシブル基板５１０に実装された引き出し量検出手段５１１と回転量検出手段５１２で検出可能である。検出された引き出し量と回転量はそれぞれ後述の表示部１０７に表示可能である。また、検出された引き出し量と回転量から算出した種々の数値も表示部１０７に表示可能である。
【００２９】
図６（ａ）に輻輳角を３度に調節した状態のデジタルビデオカメラ１０１の上面視図を示す。図６（ａ）中の一点鎖線は第１のレンズ１０２の光軸６０１と第２のレンズ１１２の光軸６０２を示す。
【００３０】
立体視可能な３Ｄ映像を撮影するためには、取り付けられるレンズの性質や被写体の種類、デジタルビデオカメラ１０１の使用者が表現したい立体感の具合等に応じて、光軸間距離及び２つの光軸がなす輻輳角を調節可能であることが必要である。図６（ａ）の時、表示部１０７に「輻輳角３度」の内容を表示することが可能である。
【００３１】
図６（ｂ）に１のレンズの光軸６０１と第２のレンズの光軸６０２のなす角が平行よりも広がった状態のデジタルビデオカメラ１０１の上面視図を示す。３Ｄ撮影を行う際は、図６（ａ）のようにレンズの光軸６０１と第２のレンズの光軸６０２のなす角が平行よりも狭い状態で行い、レンズを取り外す際などは前述のようにレンズの光軸６０１と第２のレンズの光軸６０２のなす角が平行よりも広がった状態にする。しかし、レンズの光軸６０１と第２のレンズの光軸６０２のなす角が平行よりも広がった状態で３Ｄ撮影してしまうと２つのレンズで撮影した映像が３Ｄ画像として使用できない。この場合の警告表示を行うフローについては後述する。
【００３２】
また、デジタルビデオカメラ１０１の上面には２つのアクセサリー取り付け部材７０１・７０２が備えられている。アクセサリー取り付け部材７０１・７０２は図のように２本の係合レールからなる、一般的なカメラ用アクセサリー取り付け部材である。
【００３３】
第１のアクセサリー取り付け部材７０１は第１のマウント１０４の光軸６０１と第２のマウント１０５の光軸６０２から略等距離に配置されている。また、第２のアクセサリー取り付け部材７０２は第１のマウント１０４の略光軸上に配置されるとともに、第１のアクセサリー取り付け部材７０１よりも製品後方側に配置されている。２つのアクセサリー取り付け部材７０１・７０２にはデジタルビデオカメラ１０１の把持用に取り付けられるハンドル部材１０６を取り付け可能である。
【００３４】
本体底面には、三脚取り付けねじ７０３と三脚回転止め穴７０４の組み合わせられた三脚取り付け部７０５・７０６が２か所備えられ、第１のマウント１０４の光軸６０１と第２のマウント１０５の光軸６０２から略等距離に配置されている。また、第２の三脚取り付け部は第１のマウント１０４の略光軸上に配置されるとともに、第１の三脚取り付け部７０５よりも製品後方側に配置されている。
【００３５】
図７にデジタルビデオカメラ１０１のシステム図を示す。第１のマウント１０４に取り付けられたレンズ１０２から入射した被写体情報を第１の撮像素子８０１で光電変換し、第１の撮像素子８０１を実装した第１の撮像素子基板上８０２に配置された第１のＡＤ変換素子８０３でデジタル信号に変換され、メイン基板８０４上のカメラ情報処理ＩＣ８０５で画像情報として処理した後に、ビデオ信号処理ＩＣ８０６でビデオ信号化される。
【００３６】
また、第２のマウント１０５に取り付けられたレンズ１１２から入射した被写体情報を第２の撮像素子８０７で光電変換し、第２の撮像素子８０７を実装した第２の撮像素子基板８０８上に配置された第２のＡＤ変換素子８０９でデジタル信号に変換され、メイン基板８０４上のカメラ情報処理ＩＣ８０５で画像情報として処理した後に、ビデオ信号処理ＩＣ８０６でビデオ信号化される。
【００３７】
メイン基板８０４にはレンズを制御するレンズドライバＩＣ８１０が備えられ、レンズ制御情報をレンズ１０２およびレンズ１１２に送信する。
【００３８】
第１のマウント１０４に取り付けられたレンズ１０２を制御する情報は、第１のマウント１０４に設けられた第１の接点８１１から第１のレンズ１０２に設けられた第１のレンズ接点８１２に送信される。
【００３９】
第２のレンズ１１２を制御する情報は、第２のマウント１０５に設けられた第２の接点８１３から第２のレンズに設けられた第２のレンズ接点８１４に送信される。
【００４０】
また、本体の接点とレンズ接点の通信可否によって、マウントにレンズが取り付いているか判別可能である。
【００４１】
前述の引き出し回転ヒンジ５０１に設けられた引き出し量検出手段５１１と回転量を検出する手段５１２はシステムマイコン８１５に接続され、表示部１０７に輻輳角の情報などを表示できるように構成されている。
【００４２】
前記２つのビデオ信号化された情報は、画像として表示部１０７で表示されるとともに、記録部８１４で所定の形式のファイルとして記録される。記録部８１４は取り出し可能な外部メモリーカードおよび、内蔵した取り外しできない内蔵メモリーなどで構成されている。また、撮影、再生、種々の設定等は操作部１０８によって操作可能である。また、ビデオ信号化された情報は、映像音声信号やファイルとして外部入出力端子８１６から入出力を行うことができる。
【００４３】
また、メイン基板８０４上の電源回路８１７には電源入力端子８０８が接続されるとともに、着脱可能なバッテリ１０９が接続されている。電源回路８０７からはメイン基板８０４を通してデジタルビデオカメラ１０１全体に電源を供給している。
【００４４】
次にデジタルビデオカメラ１０１の内部構成について説明する。図８にデジタルビデオカメラ１０１の上面視内部構成概観図を示す。
【００４５】
第１のマウント１０４に設けられた第１の撮像素子８０１は、第１の撮像素子基板８０２に実装され、細線同軸ワイヤなどの接続手段９０１によって、メイン基板８０４に接続されている。メイン基板８０４は本体の右側面側に配置されている。第２のマウント１０５に設けられた第２の撮像素子８０７は、第２の撮像素子基板８０８に実装され、引き出し回転ヒンジに挿通された細線同軸ワイヤなどの接続手段９０２によって、メイン基板８０４に接続されている。メイン基板８０４を本体の右側面側に配置することによって、第１の撮像素子基板８０２からメイン基板８０４の距離と第２の撮像素子基板８０８からメイン基板８０４の距離を略等しく配置することが可能である。撮像素子基板８０２・８０８とメイン基板８０４の通信は高速に行われることが多く、さらに２つの撮像素子８０１・８０７から同時にメイン基板８０４と通信する場合は信号の同期を行う上でも、接続長さができるだけ短く且つ同一長さであることが有効である。
【００４６】
図９にデジタルビデオカメラ１０１の撮影モード切り替えフローを示す。デジタルビデオカメラ１０１は撮影モードとして３Ｄ撮影モードと２Ｄ撮影モードを備え、操作部１０８で切り替えが可能である。さらに、前述の通り本体の接点とレンズ接点の通信可否によって、マウントにレンズが取り付いているか判断可能である。フローとしてはまず、Ｓ１００２でレンズが２本かどうかを判断する。Ｓ１００２がＮＯの場合、Ｓ１００３でレンズが１本かどうか判断する。Ｓ１００３がＮＯの場合、レンズが付いていないことになるので、Ｓ１００４で撮影不可とする。Ｓ１００３がＹＥＳの場合、レンズが１本付いている状態なので、Ｓ１００７で撮影モードを２Ｄ撮影モードとして撮影を行う。Ｓ１００２でＹＥＳの場合、Ｓ１００６で撮影モードが３Ｄ撮影モードか判断する。Ｓ１００６がＮＯの場合、Ｓ１００７で２Ｄ撮影モードで撮影する。Ｓ１００６でＹＥＳの場合、Ｓ１００８で３Ｄ撮影モードで撮影を行う。
【００４７】
次に、２つのマウントが成す輻輳角警告表示について説明する。図１０にデジタルビデオカメラ１０１の輻輳角警告表示フローを示す。デジタルビデオカメラ１０１は前述のように、第１のマウント１０４と第２のマウント１０５が成す輻輳角を調節可能である。しかし、輻輳角が平行よりも広くなってしまうと、２つのレンズで撮影した映像が３Ｄ画像として使用できない。そこでデジタルビデオカメラ１０１は図１０に示すフローで輻輳角警告表示を出すことが可能に構成されている。
【００４８】
Ｓ１１０２で３Ｄ撮影モードかどうかを判断し、ＮＯの場合はＳ１１０３で輻輳角警告表示は出さない。Ｓ１１０２がＹＥＳの場合、Ｓ１１０４で２つのマウントの光軸が成す角が平行よりも狭くなっているかどうか判断する。Ｓ１１０４がＹＥＳの場合、輻輳角警告表示は出さない。Ｓ１１０４がＮＯの場合、２つのマウントの光軸が成す角度が平行より広がっているため、Ｓ１１０５で輻輳角警告表示を表示部１０７に表示する。本実施例では、Ｓ１１０５にて表示部１０７に輻輳角警告表示を行うことで、３Ｄ映像に使用できない映像を無駄に撮影してしまうことを防止するように構成したが、本発明の目的を実現可能なＳ１１０５の処理はこの限りではない。例えば、Ｓ１１０５に於いて３Ｄの撮影を禁止するようにしてもよい。
【００４９】
次に、レンズが取り付いた状態でのデジタルビデオカメラ１０１の使用形態について、両方のマウントにレンズが付いた場合と、片側のマウントのみにレンズが付いた状態でそれぞれ説明を行う。
【００５０】
まず、前述の図１（ａ）に第１のマウント１０４と第２のマウント１０５にレンズ１０２・１１２を取り付けた状態をしめす。図のように、第１のマウント１０４と第２のマウント１０５にレンズ１０２・１１２を取り付けた場合は、第１のアクセサリー取り付け部材７０１にハンドル部材１０６を取り付けて使用する。また、第１のマウント１０４と第２のマウント１０５にレンズ１０２・１１２を取り付けた時に三脚を使用する場合、第１の三脚取り付け部７０５を使用する。
【００５１】
図１１に第１のマウント１０４のみにレンズ１０２を取り付けた状態の外観斜視図をしめす。図のように、第１のマウント１０４のみにレンズ１０２を取り付けた場合は、第２のアクセサリー取り付け部材７０２にハンドル部材１０６を取り付けて使用する。第１のマウント１０４の光軸上に第２のアクセサリー取り付け部材７０２があるため、把持の際のバランスがとりやすい構成となっている。
【００５２】
また、前述したレンズを２本取り付けた場合に比較して、レンズの重量が半分になるため、使用状態での重心位置が製品の後方側に来る。そのため、第１のアクセサリー取り付け部材７０１よりも第２のアクセサリー取り付け部材７０２が製品後方に位置することによって、把持の際のバランスがとりやすい構成となっている。
【００５３】
また、第１のマウント１０４のみにレンズ１０２を取り付けた時に三脚を使用する場合、第２の三脚取り付け部７０６を使用する。前述のアクセサリー取り付け部材の場合と同様に、第１のマウント１０４の光軸上に第２の三脚取り付け部７０６があるため、三脚上に積載時のバランスがとりやすい構成となっている。また、前述したレンズを２本取り付けた場合に比較して、レンズの重量が半分になるため、使用状態での重心位置が製品の後方側に来る。そのため、第１の三脚ねじ部７０５よりも第２の三脚ねじ部７０６が製品後方に位置することによって、三脚上に積載時のバランスがとりやすい構成となっている。
【符号の説明】
【００５４】
１０１  デジタルビデオカメラ、１０２  第１のレンズ、１０３  本体、
１０４  第１のマウント、１０５  第２のマウント、１０６  ハンドル部材、
１０７  表示部、１０８  操作部、１０９  バッテリ、１１０  グリップ部、
１１１  操作部材、２０１  係合爪、２０２  マウント接点、２０３  挿入指標、
２０４  ロックピン挿入凹部、２０５  突き当て面、３０１  挿通穴、３０２  係合爪、
３０３  接点、３０４  指標、３０５  ロックピン、３０６  ロックピン操作部材、
３０７  マウント面、４０１  ロックピン操作部材、５０１  回転引き出しヒンジ、５０２  回転軸、５０３  固定板金、５０４  長穴、５０５  カシメ部、
５０６  移動板金、５０７  引き出しモータ、５０８  回転モータ、５０９  ラック、
５１０  フレキシブル基板、５１１  引き出し量検出手段、５１２  回転量検出手段、
６０１  光軸、６０２  光軸、７０１  アクセサリー取り付け部材、
７０２  アクセサリー取り付け部材、７０３  三脚取り付けねじ、
７０４  三脚回転止め穴、７０５  三脚取り付け部、８０１  第１の撮像素子、
８０２  第１の撮像素子基板、８０３  第１のＡＤ変換素子、８０４  メイン基板、８０５  カメラ情報処理ＩＣ、８０６  ビデオ信号処理ＩＣ、８０７  第２の撮像素子、８０８  第２の撮像素子基板、８０９  第２のＡＤ変換素子、
８１０  レンズドライバＩＣ、８１１  第１の接点、８１２  第１のレンズ接点、
８１３  第２の接点、８１４  第２のレンズ接点、８１５  システムマイコン、
８１６  外部入出力端子、８１７  電源回路、９０１  接続手段
【図１（ａ）】
2015203826.tif 000003
【図１（ｂ）】
2015203826.tif 000004
【図１（ｃ）】
2015203826.tif 000005
【図１（ｄ）】
2015203826.tif 000006
【図２】
2015203826.tif 000007
【図３】
2015203826.tif 000008
【図４】
2015203826.tif 000009
【図５】
2015203826.tif 000010
【図６】
2015203826.tif 000011
【図７】
2015203826.tif 000012
【図８】
2015203826.tif 000013
【図９】
2015203826.tif 000014
【図１０】
2015203826.tif 000015
【図１１】
2015203826.tif 000016